(57)【要約】  本開示は、最適提示、同じく一つ以上の標準及びまたはユーザー定義の提示を与える、実施場所でのコンテンツの提示を制御するための技法を提供する。本開示は、コンテンツとともに最適セットアップデータを含み、デバイスが本開示に従って動作することを可能にしてセットアップデータを復号化し、かつコンテンツの最適提示を形成するように設定する。本開示に従うコンテンツ提示オプティマイザは、任意の対応デバイスが制御コマンドの基本セットを理解するために必要な機構を提供し、その結果、対応デバイスの接続されたネットワーク内の任意の１台のデバイスが宛先デバイスに向けてこれらの制御コマンドを起動することができる。【選択図】図３
2009518881.tif 000002
【特許請求の範囲】
【請求項１】
コンテンツ符号化システムであって、ビデオストリーム及び符号化された音声ストリームを形成するためにコンポジットコンテンツを復号化するための手段と、前記コンポジットコンテンツのためのコンテンツ設定コマンドを決定するための手段と、索引つきコマンドデータファイルを形成するために前記設定コマンドをコンパイルするための手段と、前記コマンドデータファイルを索引つきコマンドデータファイルのデータベースに転送するための手段とを備える、前記コンテンツ符号化システム。
【発明の詳細な説明】
【関連出願】
【０００１】
本出願は、２００５年６月１４日出願の、同時継続中の米国ユーティリティ特許出願第１１／１５３，７３１号の一部継続であり、及び、本出願はまた、２００５年１１月２３日出願の米国特許仮出願第６０／７３９，８６７号の優先権を主張する。
【技術分野】
【０００２】
本発明は、音声、ビデオ製作及び提示システムに関し、より詳しくは、コンテンツの提示のために符号化されたメタデータを有し、復号化されたメタデータを使用して提示システムを自動調整するコンテンツを製作する製作システムに関する。
【背景技術】
【０００３】
最新のホームシアタ及び他のコンテンツ提示実施場所の運営は、着実により複雑になってきている。ＶＨＳ又はオーディオカセットテープを放り込んで、再生ボタンを押す時代は遠い昔である。これらの昔の日々に使用された機器は、テレビジョン受信機、レーザーディスク及び／又はＶＨＳプレーヤに、及び、より高度なシステムのいくつか、ステレオ音声システムにしばしば限定された。操作可能なオプションは限られ、テレビへのさまざまな入力を選択する切換ボックスを必要とし、それはしばしばＶＨＦチャンネルを介してＲＦ経由で接続された。直接録画したプログラミングからＶＨＳ又はレーザーディスクに切り替える能力が、理解するのに容易だったとはいえ、それはなお家庭でしばしば見直された点であった。
【０００４】
今日、家庭に劇場経験をもたらす規格及び技術を開発するとともに、この業界は、消費者に様々な操作可能なモード及びＤＳＰ技術を与え、消費者が自分自身の経験をカスタマイズすることができるようにしてきた。消費者にカスタムオプションを与える同技術は、また、難題も引き起こす。
【０００５】
家庭内の多くの他の器具及び技術の様に、ホームシアタは科学になってきており、提示されるゲーム、音楽又は映画から最高の恩恵を手に入れるために、機器、その設定及び再生されるメディア上で提示される多種多様なオプションについての知識を必要とする。操作は、信号経路が設定されることを可能とする複数のプログラム可能なモードを提供し、高度なリモートコントロールへの投資によってより簡単にされることができる。
【０００６】
これはしかし、再生されるメディアが、多くの消費者を混乱させる可能性があり、更なる多種多様なモードを含む時、しばしば十分でない。それはまた、洗練された視聴者が視聴経験を最適化するために機器項目のメニューにアクセスする必要がある。しばしばその結果は、表示されるメディアに不利益かもしれない望ましくない設定に入リ込む恐れのために、基本モード又は精巧なリモコン経由で変えられるモードを除いて何も変えないことになる。この不運な選択は、ホームシアタ機器の製品に含まれるより創造的な操作可能なモードの多くが決して活用されないことに結びつき、及び、家庭内に設置される高価な機器にあまり精通していない場合、その選択を試みる消費者は、システムを正しく設定するためにしばしば支援を求めなければならない。
【０００７】
製造される多種多様な機器が、一般に、１０年前の機器と比較して今日より高い品質基準を示すとはいえ、明るい映像及び大きい音声と視覚的かつ可聴であるよう芸術を再現することとの間の区別が未だ残る。機器に費やされるドルは、しばしば操作可能な考慮を念頭に置いてなされる。しかし、消費者はなお、最適化された経験が実現されるために機器及びメディアについて特定の知識を適用しなければならない。デバイスの制御機構は、ますますより複雑かつ精巧になっている。個別に観察すると、使用する制御方法論は単純なリモートコントローラから、「ソフトキー」を備えたリモートコントローラに、無線キーボード及び他の精巧な制御デバイスのようなユーザー入力デバイスにわたった。それでも、エンドユーザーに、所望の機能を提供する複数のＣＥ機を制御する基本的な問題は、より容易にされていなかった。実際に、しばしば重なり合っている機能を備えたＣＥ機の多様性の中に相互運用性の結果として生じる欠如は、全体としてこの産業の将来の成長を脅す。
【０００８】
一部の消費者は、プレーヤ内にメディアを入れて、再生ボタンを押し、及び、最高の映像及び／又は音声経験を受け取る時代への回帰を切望する。必要なものは、最適化された提示を提供するために実施場所のコンテンツ提示装置を自動的に設定するための方法と装置である。
【発明の開示】
【０００９】
本開示に従うコンテンツ符号化システムは、コンテンツに伴うメタデータ（索引）を復号化するための一つ以上の要素を含む。復号化されたメタデータは、最適化された提示を提供するためにコンテンツ符号化システムの一つ以上の要素を設定するのに用いられることができる。代わりとして、メタデータはユーザー指定された設定と比較されることができ、及び、メタデータは、調整された最適化された提示を提供するためにユーザー指定された設定の一つ以上のパラメータを変更するのに用いられることができる。
【００１０】
本開示は、実施場所でのコンテンツの提示を制御するための技法を提供して、最適提示、同じく一つ以上の標準及び／又はユーザー定義の提示を提供する。本開示は、デバイスが本開示に従って動作することを可能にするコンテンツとともに最適セットアップデータを含み、コンテンツの最適提示を提供するセットアップデータを復号化して、設定する。本開示に従うコンテンツ提示オプティマイザは制御コマンドの基本セットを理解する任意の対応ＣＥ機のための必要な機構を提供し、その結果、対応ＣＥ機の接続されたネットワーク内の任意の１台のデバイスが宛先デバイスに向けてこれらの制御コマンドを起動することができる。
【００１１】
本発明によると、コンテンツ符号化システムであって、ビデオストリーム及び符号化された音声ストリームを形成するためにコンポジットコンテンツを復号化するための手段と、前記コンポジットコンテンツのためのコンテンツ設定コマンドを決定するための手段と、索引つきコマンドデータファイルを形成するために前記設定コマンドをコンパイルするための手段と、前記コマンドデータファイルを索引つきコマンドデータファイルのデータベースに転送するための手段とを備える、前記コンテンツ符号化システムを提供することができる。
【００１２】
本開示に従うコンテンツ符号化システムは、ビデオストリーム、符号化された音声ストリーム及び一つ以上の設定コマンドを形成して、この一つ以上の設定コマンドの一つ以上で作動するためにコンポジット（複合）コンテンツを復号化するための手段、及び、ビデオストリームを表示して、一つ以上の設定コマンドを形成して、その一つ以上で作動するための手段、及び、符号化された音声ストリームを復号化しかつ提示して、一つ以上の設定コマンドの一つ以上で作動するための手段、を含むことができる。
【００１３】
本開示に従うコンテンツ符号化システムは、複合コンテンツをビデオストリーム及び音声ストリーム及び一つ以上の設定コマンドに分割して、一つ以上の設定コマンドの一つ以上で作動するための手段、及び視覚的なコンテンツを提示して、一つ以上の設定コマンドの一つ以上で作動するための手段、及び、音声ストリームから音声コンテンツを復号化し、かつ提示して、一つ以上の設定コマンドの一つ以上で作動するための手段、を含むことができる。
【００１４】
コンテンツ提示オプティマイザは、以下を規定する：
【００１５】
コンテンツの一部分を特定のメタデータ（索引）と関連づけて、このメタデータがオプティマイザシステムに用いられるために存在することを確実にするための方法。これは、この特定のメタデータのためのフォーマットを含むことができる。
【００１６】
コンテンツの一部分を一般的なメタデータと関連づけて、それがオプティマイザシステムに用いられるために存在することを確実にするための方法。これは、この一般的なメタデータのためのフォーマットを含む。
【００１７】
ＨＤＭＩ、Ｓ／ＰＤＩＦ、その他のようなさまざまなインターフェースにわたってオプティマイザメタデータを搬送するための方法。
【００１８】
コンテンツの再生を最適化するためにオプティマイザメタデータを使用する、ソース製品、Ａ／Ｖ受信機及びディスプレイデバイスのための仕様。
【発明を実施するための最良の形態】
【００１９】
以下の開示は、説明の容易さのためにホームシアタ実施場所における民生用電子機器の場面において論じられる。理解されるべきことは、以下の開示が、産業関連もしくは専門的機器、音声提示又は静止イメージ提示に、又は、航空会社、自動車もしくはその他の方式の輸送のような他の小さい実施場所に、同じく、医療又は科学的イメージ及び／又は音声提示のような、一般的に娯楽とはみなされない実施場所に、適用されることができることである。
【００２０】
本開示に従う方法と装置は、メディア及びそのメディアに含まれるプログラム材料に従う推奨された操作可能な設定を選択するか、又はこのシステム内の異なる選択された項目のためのカスタムユーザー定義初期設定を生成するための能力を、洗練されたホームシアタ所有者に対して提供する。
【００２１】
本開示に従うコンテンツ提示オプティマイザは、制御コマンドの基本セットを理解する任意の対応ＣＥ機のための必要な機構を提供し、その結果、対応ＣＥ機の接続されたネットワーク内の任意の１台のデバイスが宛先デバイスに向けてこれらの制御コマンドを起動することができる。
【００２２】
一連の埋め込み試験及び調整ユーティリティを通して、コンテンツ提示システムは、システムの最初のセットアップを可能にする基本的信号源及び手順を提供し、同じく、システムが経年変化するにつれて信任テストを提供することができる。コンテンツ提示オプティマイザ認可のもとで規定される標準規格に対する特定の技術を含んで、設計され、かつ製造される、較正されて試験された機器が、テレビディスプレイのようなレガシー機器のセットアップ及び較正のための基準を与える埋め込みユーティリティを提供することができる。ＤＶＤプレーヤ、ＤＢＳ及びＤＴＶ受信機、マルチメディアパーソナルコンピュータ、及びＤＶＤプレーヤの兼用にもなることができるゲーム機にこの特徴を適用することが可能である。この特徴は、従来のユニットをこえる恩恵を新しいコンテンツ提示オプティマイザ対応コンポーネントの購入に加える。一層の調整有用性を可能にする一方、消費者はまた、ホームシアタの操作をより容易にする自動再生モード選択の恩恵を導入される。
【００２３】
コンテンツ提示オプティマイザは、全てのＣＥ機が認識し、かつこれらのコマンドで作動するか、又はそれらを他のデバイスに転送することが可能でなければならないコマンドコードの基本セットを提供する。例えば、ＤＶＤプレーヤは「早送り」コマンドで作動することができるが、しかし、「５チャンネルへの同調」又は「音量アップ」コマンドを渡す。これらのコマンド及び制御ネットワークの物理層は、ＲＳ−２３２又はさらに（同じブランドのＣＥ機がこの同じ機能をサポートすることができるように）専用のインターフェースのような現在利用できる制御インターフェースを活用して、デバイスからデバイスに応じて異なることができる。
【００２４】
本開示は更に、同じブランドのＣＥ機がこの機構を使用して、同じブランドのデバイスが接続される時だけ実行可能な追加機能を提供することができるように、「私有データ経路」を規定する。
【００２５】
本開示は、従って、任意の適合デバイスがネットワーク内のその他のデバイスに対する制御コマンドを起動することを可能にする。結果は、これらのデバイスのどれか一つの任意のリモートコントローラが直ちに、少なくとも基本コマンドセットの範囲内で、全てのデバイスに対するＵＲＣになることである。
【００２６】
加えて、本発明の好ましい実施態様が、人間のユーザーが通常これらの制御装置の作動イニシエータであると想定するとはいえ、本発明は同時に容易に、他の人間外のユーザー（例えばコンテンツ、サービス提供者ビリングマシン、その他）が、家庭用ＣＥ機のネットワーク内に存在しなければならないその対応デバイスを通してこれらのコマンドを起動することを可能にする。
【００２７】
この種のデバイスの一例は、ケーブルサービス提供者のセントラルオフィス（ヘッド側）に別々の安全な通信経路を有するケーブルデコーダボックス（セットトップボックス）である。本発明に適合するケーブルセットトップボックスは、ケーブルＳＴＢと顧客の他のＣＥ機の相互運用性の問題を解決するために顧客の自宅に修理係を送る代わりに、ケーブルサービスオペレータが彼らのセントラルオフィスからＣＥ機のネットワーク全体を今では遠隔で診断することを可能にする。
【００２８】
基本コマンドセットの正確な定義、及びデバイスが基本コマンドセットと「私有データ経路」とを区別できるようにする機構は、市販のデータ制御プロトコルのいずれかに基づくことができる。本発明の新規性は、ＣＥ製品及び制御設計の多様性の直接的な結果であるクロスプラットフォーム相互運用性問題を解決することへのこれらの方法論の適用にある。
【００２９】
ホームシアタの特定のコンポーネントが詳しく述べられるが、しかし、この文書内に論じられるモデルは、特定のモードがコンテンツを適切に表示するようにセットされることを必要とすることができ、メディアが送達される実質上任意の用途に拡大されることができる。この考察のために、ホームシアタは、家庭、自動車、会議室内のコンテンツ提示オプティマイザ技術によって可能にされ、さまざまな技術の音声処理／受信コンポーネント、オーディオアンプ及びビデオディスプレイに接続されるメディア再生又は受信デバイスの任意の組合せを代表することができる。
【００３０】
さて図１を参照して、コンテンツ提示システム８はコンテンツ入力要素３０、Ａ／Ｖ受信機及びディスプレイデバイス１４を含むことができる。コンテンツ入力要素３０は、任意の適切なデバイス、例えばＤＶＤ１０及び例示される他のデバイスを含むことができるが、これに限定されない。コンテンツ提示メタデータは、ＨＤＭＩチャンネル１１のような任意の適切なインターフェースを通して各要素から各要素へ転送されることができる。
【００３１】
次に図２を参照して、コンテンツ記憶媒体１６は、本開示に従う最適化された提示を可能にするためにコンテンツ及び充分なメタデータを具備することができる。ＤＶＤプレーヤ１０は、メタデータ取り出し要素１８を含むことができる。メタデータは、ＨＤＭＩ、Ｓ／ＰＤＩＦ又は他の使用チャンネル１１、２２及び２４のような任意の適切なフォーマットを使用してＤＶＤ１０、受信機１２及びディスプレイ要素１４のような要素間を転送されることができる。メタデータは、それぞれ要素１０Ａ、１２Ａ及び１４Ａの中で解析され、かつ解釈されることができる。メタデータは、それぞれ要素１０Ｂ、１２Ｂ及び１４Ｂに更に変換されることができる。メタデータは、それぞれ要素１０Ｃ、１２Ｃ及び１４Ｃ内の常駐ＯＥＭコードと最終的に相互作用する。
【００３２】
次に図３を参照して、代替構成において、コンテンツディスプレイシステム９０はそれぞれビデオ及び音声フィードバックに対応する一つ以上のフィードバックチャンネル９２及び／又は９４を含むことができる。
【００３３】
次に図４を参照して、コンテンツ符号化システム６０はステップ６２でイメージ及び／又は音声を取得する。特殊効果及び製作後処理が、ステップ６４で実行されることができ、デジタル中間ファイル６６を得ることができる。配布マスターならびに圧縮及びオーサリングが、それぞれステップ６８及び７０で生じる（ａｃｃｕｒ）。最適化データ（ｄａｔｅ）、メタデータの適用は、ステップ７２内に含まれることができる。最適化データは、音声及びビデオの多くのフォーマットによるメディアコンテンツの生成及び配信（ｄｉｓｔｒｕｂｕｔｉｏｎ）のために使用される技術及び方法を表す。
【００３４】
＜ＤＶＤプレーヤ＞
ＤＶＤプレーヤは、家庭に映画及び音声を提示する最も普及している新しい家庭技術及び好ましい方法になった。再生されるコンテンツの特性を識別するコンパイルされたデータを含む概念が、主要な目的であって、コンテンツ提示オプティマイザを他のハードウェア通信技術と区別する。コンテンツ提示オプティマイザ対応ＤＶＤプレーヤは、所望の提示のためのホームシアタを設定するために、メディアに含まれるデータを復号化して、音声及びビデオの特定の特性を伝達することが可能である。消費者は、コンテンツ提示オプティマイザ初期設定又は視聴者の個々の嗜好を代表することができるカスタム初期設定を選択するオプションを与えられる。
【００３５】
＜機能＞
コンテンツ提示オプティマイザ対応プレーヤは、ＤＶＤロムデータを読み込む能力を必要とする。ディスクがプレーヤ内に装入されると、この対応プレーヤはディスクのＤＶＤロムセクターを検索する。＊＊＊データは、［ｔｈｘ．ｂｉｎファイルのような］ファイル内に識別されるＤＶＤディスクのロムセクター内に読み込まれるか又は圧縮されたデータファイル内に埋め込まれて見いだされる。データは、次いでチップセット製造業者と整合した方式で（ｉｎ  ａ  ｍａｎｏｒ）復号化される。データは、次いでＤＶＤプログラム材料の提示のためにあるデータを保持するように設計されているレジスタ内に、ロードされる。シーケンスは、次いでＤＶＤプレーヤのコンポジット出力の垂直間隔［同期］及びコンポーネントビデオ出力のＹチャンネル又はホームシアタ内に使われることができるＨＤＭＩ／ＤＶＩ及び１３９４のような他の形式のデジタル通信内にその時出現するビットを生成するためにレジスタから情報を転送し始める。設定データが、ディスクブートアップ及びメニューシーケンス中に送信されるが、しかし、また、視聴されるコンテンツが消費者要求によって変化する場合、フォーマットの変更が識別されるとアクセスされることができる。ＤＶＤプレーヤによる設定データ出力は、映画の再生中に垂直同期ライン又はデジタルストリームを介して送信されるマクロビジョン又はその他の信号を妨げることにならない。
【００３６】
ＤＶＤプレーヤに固有なデータを受信する際に、ＤＶＤプレーヤは以下の内部設定調整を実行する；
・マクロビジョンは、電源投入及びディスクロードサイクルの際に動作を停止される
・オプションとして利用できることが可能なビデオ出力制御は、コンテンツ提示オプティマイザによって提供される推奨された設定のとおり、コンテンツ提示オプティマイザ指定の数値にリセットされなければならない。これらの制御は以下を含むが、これに限定されない；
ｏ明るさ
ｏコントラスト
ｏ色
ｏ色合い
ｏシャープネス
ｏセットアップ
ｏ色温度
・一般的な５．１データストリーミングがドルビーデジタル、ウィンドウズメディア又はＤＴＳフォーマットに基づくのを可能にするために、音声ＤＳＰオプションは、動作を停止される。Ａ／Ｖ受信機に依存して、データ伝送によってセットされるモードに基づく適切なデジタル復号化を実行する
【００３７】
製造業者が望むように製品内に機能を導入する製品能力を制限することは、コンテンツ提示オプティマイザ認可プログラムの意図でないが、しかし、この機能が、典型的な映画表題又はプログラム材料でマスターを作られるように、技術を変更することができる周知の信号源の通常の予想出力からの逸脱を提供する場合には、コンテンツ提示オプティマイザ認可プログラムは、コンテンツ提示オプティマイザモードが選択され、及び、コンテンツ提示オプティマイザデータによって指示される時、デバイスが、予想レベルの輝度及びクロミナンスを描画するようにプログラムされることを要求する。
【００３８】
制御されて較正された環境での業界期待の厳守に加えて、コンテンツ提示オプティマイザによって、消費者が、映像及び音声オプションのコンテンツ提示オプティマイザ推奨基準値とは異なるかもしれないカスタム値をセットすることができるようにするユーザー嗜好設定を、製造業者が導入することができる。これが、家庭内に公認の及び非公認のコンポーネントの組合せを容易にするために必要であることになる。いつでも、消費者はこのインターフェースを可能にするためにユーザー設定を変えることができるが、しかし、コンテンツ提示オプティマイザ基準設定は、なんらかの基準が消費者選択で得られるようにロックアウトされることになっている。ユーザーメモリレジスタの最小数は、製造業者がコンテンツ提示オプティマイザ設定を工場設定にすることを選択する場合、コンテンツ提示オプティマイザ基準レジスタに加えて１［１］の、合計２［２］メモリレジスタである。製品工場設定が推奨されたコンテンツ提示オプティマイザ設定と別の場合、メモリレジスタの最小数は３［３］である。
【００３９】
＜音声／ビデオ受信機＞
音声／ビデオ受信機（Ａ／Ｖ受信機）は、ホームシアタに以下のような複数の機能を供給する；
・共通にビデオ同じく音声のためのホームシアタの中心切換点
・以下のようなさまざまなデバイスからデジタル音声ストリーム出力を復号化する
ｏＤＶＤプレーヤ
ｏＤＢＳ受信機
ｏゲーム機
ｏＣＤプレーヤ
ｏＭＰ３プレーヤ
ｏデジタルオーディオテープ、ＤＡＴ
ｏマルチメディアコンピュータ
以下のようなさまざまな音声デバイスからアナログ音声ソースを受信する；
ｏＣＤプレーヤ
ｏカセットテーププレーヤ／レコーダ
ｏターンテーブル
ｏマルチメディアコンピュータ
ｏゲーム機
ｏＤＶＤプレーヤ
・多くのモードのデジタル信号処理を適用して音声フォーマットの多くをインターフェースし、製造業者によって提供されるさまざまなモードを選択することによって、顧客が選択するように、処理を音声ソースに加える
・より高度なモデルは、ビデオソースのフォーマット変換を提供して任意の入力フォーマットを映像ディスプレイに供給するために１つの共通ビデオフォーマットに統合する
・ラインレベル出力を形成してパワーアンプに信号を供給するか、又は、一体化された場合、スピーカに高出力音声を直接出力する
【００４０】
Ａ／Ｖ受信機は、競争的市場によって要求される多くの特徴、同じく今日のホームシアタに必要な複数の機能に起因して、動作するのがより複雑になっている。単にステレオをオンにして、音楽を再生する日々は、それが何年も前にそうであったようには、常に簡単というわけではない。製造業者は、受信機の複雑な機能の多くを補助する創造的で有用なユーザインタフェースを設計することに多大な努力を置く。音楽又は映画コンテンツを再生する時選択する基礎的及び基本的モードに加えて、追加的な信号処理モードが、市場で競争するためにより多くの特徴の詰まった製品にするように提供される。しばしば、これらの追加的なモードが誤ってセットされて、望ましくない結果が聞こえるまで、常に発見されるとはかぎらない。それで、タスクはユニットの多くの特徴を検索することであり、問題のある特徴セットを選択的に停止することである。これは、しばしば一般のホームシアタ顧客にとってフラストレーションを引き起こす出来事である。コンテンツ提示オプティマイザは、メディアが処理及び復号化の選択を決定する方法を提供し、それとともにまた、消費者が顧客によって要求されるモードを適用することができるようにする。いつでも、消費者は、リモコン上のコンテンツ提示オプティマイザボタンを押して、コンテンツ提示オプティマイザ選択設定に戻されることができる。
【００４１】
コンテンツ提示オプティマイザがどのように助けることができるかのいくつかの具体例は；ＣＤ音楽ディスクがＤＶＤプレーヤで再生される場合、一部の製品は、デジタルソースをサンプリングするか又はアナログ音声の存在を検出するが、しかし、それは、以前のＤＶＤ視聴からデフォルト音声２−チャンネルモードのために選択されたプロロジックである場合がある。これによって、音楽コンテンツが提示される方法に問題が生じる可能性がある。同様に、５．１デジタルオーディオトラックを含むＤＶＤは、実際に５．１ＥＸであることができる。いずれにせよ、音声提示モードが、再生される特定の音声コンテンツに対して正しくセットされる場合、音声コンテンツの提示は改善されるであろう。コンテンツ提示オプティマイザは、Ａ／Ｖ受信機内のモードを正しくセットするデータを提供し、かつ、消費者が音量レベルを除いて自分でいかなる調整もする必要がない方法でこれを行うことができる。
【００４２】
コンテンツ提示オプティマイザ対応Ａ／Ｖ受信機は、コンポーネント及びコンポジットアナログビデオ回線又は任意のデジタルインタフェースを監視して、かつ、Ａ／Ｖ受信機に特有のコンテンツ提示オプティマイザデータに応答する必要がある。簡単な用途を示すインターフェースは、下記で見いだされる。データは、記憶レジスタにロードされて、そして次に、遠隔プロトコル内に通常は見いだされる機能にインターフェースされる。コンテンツ提示オプティマイザインターフェースは、特定の機能がメニューの階層を通してスクロールする必要なしで直接対処される必要がある。
必要な最小のコンテンツ提示オプティマイザ機能は、以下を含む；
・サラウンドモード
・音楽モード
・Ｒｅ−ＥＱオンオフ
・モノラル／ステレオ
・ゲーム
・マルチメディア
・映画
・スポーツ／ローカルプログラミング
・以下に対処することができるコンテンツ提示オプティマイザ処理に特有のデバイス内に、インテリジェンスモードを起動させる；
モノラル１９３８から１９７６大部屋提示映画
モノラル大部屋提示映画
モノラル小部屋プログラム材料
モノラルゲーム
ステレオ大部屋提示映画
ステレオ小部屋プログラム材料
ステレオゲーム
２．０  Ｌｔ  Ｒｔプロロジック（エミュレーション）大部屋提示映画
２．０  Ｌｔ  ＲｔプロロジックＩＩ大部屋提示映画
家庭用に再イコライズされた２．０Ｌｔ  Ｒｔプロロジック（エミュレーション）大部屋提示映画
家庭用に再イコライズされた２．０  Ｌｔ  ＲｔプロロジックＩＩ大部屋提示映画
２．０  Ｌｔ  Ｒｔプロロジック（エミュレーション）小部屋プログラム材料
２．０  Ｌｔ  ＲｔプロロジックＩＩ小部屋プログラム材料
２．０  Ｌｔ  Ｒｔプロロジック（エミュレーション）ゲーム
２．０  Ｌｔ  ＲｔプロロジックＩＩゲーム
２．０  Ｌｔ  ＲｔプロロジックＩＩ音楽
２．０  Ｌｔ  Ｒｔ  Ｌｏｇｉｃ７オリジナルミックス
家庭用に再イコライズされた２．０  Ｌｔ  Ｒｔ  Ｌｏｇｉｃ７オリジナルミックス
４．１ゲーム
５．１大部屋提示映画
家庭用に再イコライズされた５．１大部屋提示映画
５．１小部屋プログラム材料
５．１ゲーム
５．１  ｗ／Ｓｂマトリックス又はディスクリート（６．１）大部屋提示映画
家庭用に再イコライズされた５．１ｗ／Ｓｂマトリックス又はディスクリート（６．１）大部屋提示映画
５．１  ｗ／Ｓｂマトリックス又はディスクリート（６．１）小部屋プログラム材料
５．１  ｗ／Ｓｂマトリックス又はディスクリート（６．１）ゲーム
７．１  大部屋提示映画
家庭用に再イコライズされた７．１大部屋提示映画
７．１小部屋プログラム材料
７．１ゲーム
９．１大部屋提示映画
家庭用に再イコライズされた９．１大部屋提示映画
９．１小部屋プログラム材料
９．１ゲーム
１０．２大部屋提示映画
家庭用に再イコライズされた１０．２大部屋提示映画
１０．２小部屋プログラム材料
１０．２ゲーム
【００４３】
製造業者が望むように製品内に機能を導入する製品能力を制限することは、この技術の意図でない。しかし理解されるべきは、この機能が、典型的な映画表題又はプログラム材料でマスターを作られるように、技術を変更することができる周知の信号源の通常の予想出力からの逸脱を提供する場合には、このプログラムは、デバイスが予想性能を与えるような方法でプログラムされ、かつ、コンテンツ提示オプティマイザデータによって指示される必要があることである。
【００４４】
制御されて較正された環境での業界期待の厳守に加えて、この技術によって、消費者が、推奨基準値音声性能及びオプションとは異なるかもしれないカスタム値をセットすることができるようにするユーザー嗜好設定を、製造業者が導入することができる。これが、家庭内に公認の及び非公認のコンポーネントの組合せを容易にするために必要であることになる。いつでも、設置者又は消費者はこのインターフェースを可能にするためにユーザー設定を変えることができるが、しかし、一次基準設定は、基準が消費者選択で得られるようにロックアウトされることになっている。ユーザーメモリレジスタの最小数は、製造業者が一次設定を工場設定にすることを選択する場合、一次基準レジスタに加えて１［１］の、合計２［２］メモリレジスタである。製品工場設定が推奨された一次設定と別の場合、メモリレジスタの最小数は３［３］である。表示される音声コンテンツの特性を変更する創造的なＤＳＰモードは、コンテンツ提示オプティマイザ初期設定としてプログラムされることになっていない。認可プロセスの一部としてのコンテンツ提示オプティマイザは、ホームシアタ、実験室環境において正しいように、コンテンツ提示オプティマイザによって確立される提示品質のためにベースメモリにプログラムされるべき適切な値を決定する。テーブルは、Ａ／Ｖ受信機がコンテンツ提示オプティマイザデータを受信する際に対処する必要があるモードをリストする。
【００４５】
本開示によって必要な機能は、以下に基づくことができる；
・パワーアップ条件
・ライトの状態又はディスプレイによる、コンテンツ提示オプティマイザが有効にされているという表示
コンテンツ提示オプティマイザデータが受信される時；
ｏデータは、リモートコントロール起動の際にコンテンツ提示オプティマイザ機能の復元を可能にするために常駐のメモリ内に記憶される
ｏ配信データ
ｏディスプレイは、受信されるデータを示す
ｏ起動コマンド
ｏデータが壊れている場合のエラーメッセージ又はインジケータ、何のアクションもとられない
§コンテンツ提示オプティマイザデータが送信中に壊れている場合には、データは送信デバイスのリモコン上のボタンを選択することによって再送信されることができる。
【００４６】
コンテンツ提示オプティマイザ対応Ａ／Ｖ受信機に関する他の必要条件の多くは、コンテンツ提示オプティマイザ公認の技術が使用される時、ＴＨＸウルトラ２に対するコンテンツ提示オプティマイザ認可ガイドライン内に参照されることができ、コンテンツ提示オプティマイザ認可は、コンテンツ提示オプティマイザが導入されるための必要条件ではない。
【００４７】
次に図３６を参照して、組込みチューナを備えたディスプレイに対して、音声コンテンツに対するコンテンツ提示オプティマイザデータをＡ／Ｖ受信機に（ＨＤＭＩは一方向であり及びディスプレイユニットに）搬送するための方法が必要である。ＡＴＳＣチューナを備えたディスプレイ及び２−チャンネルドルビーデジタル復号器だけがＳ／ＰＤＩＦデジタル出力を供給するために必要なので、本開示に従うコンテンツ提示オプティマイザは、データを搬送するために図１に示されるチャンネル２６のようなＳ／ＰＤＩＦ接続を使用することができる。
【００４８】
Ｓ／ＰＤＩＦ接続が、また、コンテンツ提示オプティマイザ音声パケットを受信するためにＨＤＭＩを伴わずにＡ／Ｖ受信機によって使われることができる。Ｓ／ＰＤＩＦ接続が、また、図３７にて図示したように、Ａ／Ｖ受信機にコンテンツ提示オプティマイザデータを搬送するために音声のみのソースによって使われることができる。
【００４９】
＜ゲーム機＞
コンテンツ提示オプティマイザ対応ゲーム機は、対応ＤＶＤプレーヤに類似した機能を有する。再生されるコンテンツの特性を識別するコンパイルされたデータを含む概念が、主要な目的であって、コンテンツ提示オプティマイザを他のハードウェア通信技術と区別する。コンテンツ提示オプティマイザ対応ゲーム機は、所望の提示のためのホームシアタを設定するために、メディアに含まれるデータを復号化して、音声及びビデオの特定の特性を伝達することが可能である。消費者は、コンテンツ提示オプティマイザ初期設定又は視聴者の個々の嗜好を代表することができるカスタム初期設定を選択するオプションを与えられる。
【００５０】
＜機能＞
コンテンツ提示オプティマイザ対応ゲーム機は、ゲーム初期化中に追加的なデータを読み込む能力を必要とする。ディスクがプレーヤ内に装入されると、対応ゲーム機はコンテンツタイプを判定するためにディスクを検索する。この時間中に、さまざまなハードウェア要素がアドレスされるにつれて、（コンソールの専用のフォーマットで符号化される）データがコンソールに送信される。データは、次いでゲーム機チップセット製造業者と整合した方式で（ｉｎ  ａ  ｍａｎｏｒ）復号化される。データは、次いでゲームプログラム材料の提示のためにあるデータを保持するように設計されているレジスタ内にロードされる。シーケンスは、次いでゲーム機のコンポジット出力の垂直間隔［同期］及びコンポーネントビデオ出力のＹチャンネル又はゲーム機で使われる任意の形式のデジタル通信内にその時出現するビットを生成するためにレジスタから情報を転送し始める。ゲーム機による設定データ出力は、ゲームの再生中に垂直同期ラインを介して送信される任意の他の信号を妨げない。
【００５１】
ゲーム機に特有のデータを受信する際に、このユニットは以下の内部設定調整を実行する；
・マクロビジョンは、電源投入及びディスクロードサイクルの際に動作を停止される
・オプションとして利用できることが可能なビデオ出力制御は、コンテンツ提示オプティマイザによって提供される推奨された設定のとおり、指定の数値にリセットされなければならない。これらの制御は以下を含むが、これに限定されない；
ｏ明るさ
ｏコントラスト
ｏ色
ｏ色合い
ｏシャープネス
ｏセットアップ
ｏ色温度
ゲームによってサポートされる音声フォーマットが宣言され、及び、一般的な５．１データストリーミングがドルビーデジタル又はＤＴＳフォーマットに基づくのを可能にするために、いかなるＤＳＰオプションも動作を停止される。Ａ／Ｖ受信機に依存して、データ伝送によってセットされるモードに基づく適切なデジタル復号化を実行する。
【００５２】
製造業者が望むように製品内に機能を導入する製品能力を制限することは、コンテンツ提示オプティマイザ認可プログラムの意図でないが、しかし、この機能が、典型的な映画表題又はプログラム材料でマスターを作られるように、技術を変更することができる周知の信号源の通常の予想出力からの逸脱を提供する場合には、コンテンツ提示オプティマイザ認可プログラムは、コンテンツ提示オプティマイザモードが選択され、及び、コンテンツ提示オプティマイザデータによって指示される時、デバイスが、予想レベルの輝度及びクロミナンスを描画するようにプログラムされることを要求する。
【００５３】
制御されて較正された環境での業界期待の厳守に加えて、コンテンツ提示オプティマイザによって、消費者が、映像及び音声オプションのコンテンツ提示オプティマイザ推奨基準値とは異なるかもしれないカスタム値をセットすることができるようにするユーザー嗜好設定を、製造業者が導入することができる。これが、家庭内に公認の及び非公認のコンポーネントの組合せを容易にするために必要であることになる。いつでも、消費者はこのインターフェースを可能にするためにユーザー設定を変えることができるが、しかし、コンテンツ提示オプティマイザ基準設定は、なんらかの基準が消費者選択で得られるようにロックアウトされることになっている。ユーザーメモリレジスタの最小数は、製造業者がコンテンツ提示オプティマイザ設定を工場設定にすることを選択する場合、コンテンツ提示オプティマイザ基準レジスタに加えて１［１］の、合計２［２］メモリレジスタである。製品工場設定が推奨されたコンテンツ提示オプティマイザ設定と別の場合、メモリレジスタの最小数は３［３］である。
【００５４】
＜ＡＴＳＣ、ＤＴＶ、ＤＢＳ、ケーブルセットトップボックス＞
この業界は、民生用電子機器の次の進化による変化に備えている。ＦＣＣは、我々が現在「無料のテレビ」として受信するアナログテレビジョン標準規格から、ＨＤＴＶに加えてより多くのチャンネル及びサービスを提供するデジタルテレビジョンへの遷移を命令した。ＴＶ製造業者は、２００５年まで、少なくとも３５インチの広さのスクリーンを備えたセット内にデジタル信号を変換するチューナを含まなければならない。より小さいスクリーンは、２００７年まで免除されている。ケーブル又は衛星接続のないＴＶを見るアメリカ人の１３パーセントだけのためになるチューナは、小売店で５００ドルから３，０００ドルに及ぶセットのコストにせいぜい２５０ドルだけ加わると予想される。
【００５５】
製造業者は、大部分の人々がデジタルＴＶを見ることができない理由は、彼らのセットのためではなく、しかし、ケーブル会社がケーブルシステムを通してごくわずかなプログラミングしか提供しないからであるという。ケーブルが国の７０パーセントまでＴＶを供給するので、それは問題である。それは、商店主が彼らのセットをプロモートするためにデジタルテレビジョンの代わりにＤＶＤを見せる段階にさえ到達している。これが対処され、及び、ケーブル会社は彼らのシステムを介してデジタルＡＴＳＣ対応ストリームを供給するように命令された。
【００５６】
この遷移がそれ自体高解像度を命令しないとはいえ、それは新しい多種多様なデジタル放送規格が活用される必要があり、更に、組込みダウン変換技術がインターフェースチューナの一部として利用できるように、高解像度規格が含まれることを可能にする。新しいＤＴＶディスプレイの購入は、これらの新しい放送を受信して、表示する能力を含み、かつインターネット、ブロードバンド及びＤＳＬサービスに対する接続性を含み、ＴＶリモートコントロールに新しいレベルの販売活動をもたらすインターフェースを可能にする。ＡＴＳＣ委員会の下で予定されたように、ＤＴＶサービスの開始は放送会社による採用において遅れていた。この採用の遅れに対する１つの主要な理由は、ワイドスクリーン、ＤＴＶレディ家庭の明白な不足である。高解像度プログラミングの不足は、消費者にＤＴＶを装備したビデオディスプレイを購入するための理由又は目的を与えず、及び、ＤＴＶをテレビ視聴のために活用することが可能な家庭の不足は、ネットワークＨＤ放送を促進するために役に立たない。これが消費者にとって無料のテレビであるので、局の収益は地方及びネットワークレベルの双方で販売されるコマーシャル時間によって生み出される。消費者データは、ＤＴＶ対応受信機を購入して受信する消費者が、確かにデジタル革命にとってプラスである、という事実を裏づける。しかしすべての新しいＤＴＶ視聴者に対して、標準解像度視聴者が一人少なくなる。放送会社のより大きな収益のためになることができる全体的な増加はなく、放送会社は高解像度及びＤＴＶを導入するために巨大なコストに直面する。ＦＣＣ命令の下でだけ、このシステムは進行して、最終的には確立される。ＤＶＴでサポートされるウエブベースの販売活動は、ＤＴＶの採用を、ただわずかな報酬でのより良い映像を超えるものにする、付加的な収益発生手段として見られた。ＤＴＶを介したウエブスタイルサービスの概念は、１９９０年代半ばのドットコム会社の成長の間に進展したが、しかし、製品及びサービスを市場に出すインターネットサイトの活気がない業績は今日、この機能がもくろまれた収益の流れを生成するという大した望みを提供しない。
【００５７】
テレビスペクトルの最終的な更なる再配分は、ＡＴＳＣ仕様のもとでより多くのチャンネルを可能にするが、しかし、放送会社が標準解像度デジタル放送を続ける場合だけである。恩恵が標準解像度に存在するとはいえ、革新的なライン走査規格が活用されるならば、高解像度映像は、最高の全体的な映像を生成するが、しかし、帯域幅の増大及びサービスチャンネルの減少という犠牲を伴う。デジタル圧縮が帯域幅を最小化するためにコンテンツに適用されるが、しかし、これは放送会社の裁量に残されている。デジタルテレビジョンによって、放送会社は、現在のモードのテレビジョン伝送の下で可能であるより、より高い解像度及びより良い画質の無料の電波放送されたテレビを提供することが可能である。放送会社がそのように選択する場合、彼らは映画館品質の映像及びＣＤ品質の音声を備えたＨＤＴＶ−テレビジョンを提供することができる。代わりとして、放送会社は、アナログ放送サービスから今日利用できるより良い映像及び音響品質を備えたいくつかの異なるテレビ番組を同時に提供することができる。
【００５８】
多くの焦点がメディアの電波放送供給に置かれるとはいえ、ケーブルは双方向の有線通信が可能であるという利点を提供することに言及するのは重要である。ＤＢＳ又はＡＴＳＣは、ほとんどの場合帰還信号を載せるＩＰに依存する。
【００５９】
コンテンツ提示オプティマイザは、付加された有用性を提供して、更にコンテンツ提示オプティマイザを含む他のデバイスに適合する。ビデオディスプレイ上でスポーツプログラミングのための特定の設定を見ることは、一般的である。このモードに対する主な理由は、スポーツコンテンツのガンマコンテンツが、ニュース又は映画のガンマと極めて異なることである。これにより特定のショットを平坦に見えさせることができ、及び、設定によって有効にされる追加的な「パンチ」によって、イメージをよりダイナミックにすることができる。この設定をオン／オフすることは、消費者によって完全に選択される。放送ソース材料は、放送されるコンテンツに基づいて設定を変える方法を持つことによって大いに利益を得る。ネットワーク及び衛星放送会社は、両方とも、この種のサービスを提供することに関心を示している。先進のセットトップボックスは、単独でこれを行うことが可能であり、さらに別の層の混乱を調整ジレンマに加える。
【００６０】
＜機能＞
対応ユニットは、デジタルテレビジョン送信信号を介してデータを受信し、かつ、垂直間隔の「Ｙ」チャンネル上のアナログ、コンポーネントビデオを介して、又はセットトップボックスとホームシアタコンポーネントとの間のデジタルインタフェースを介してデータを発生させる。
【００６１】
デジタルインタフェースは、プログラム材料を伴うメタデータストリームに含まれるデータを供給する。音声及びビデオ装置は、ＤＶＤ、ゲーム又はマルチメディア出力からの出力として、又はホームシアタ信号経路において一般的な任意のデジタルインタフェースによって、ビデオコンポジット又はコンポーネント信号経路を介してコンテンツ提示オプティマイザデータを受信する。
【００６２】
下流のデバイスにおいて有効にされる場合、コンテンツ提示オプティマイザは、ＤＢＳもしくはＡＴＳＣセットトップボックス、又は、出力信号の画質を高めるであろうディスプレイデバイスのどちらかにおける処理の特定の起動を提供することができる。この種の処理から恩恵を得ることができる条件は、以下のとおりである；
ｏきわめて低いビットレートのＭＰＥＧ符号化
ｏ変えられてないコンテンツ
ｏ再圧縮されたイメージ
ｏアスペクト比制御
ｏビデオディスプレイ内にビデオ指定された特徴に加えて上記
【００６３】
＜マルチメディアパーソナルコンピュータ＞
マルチメディアパーソナルコンピュータプレーヤは、コンテンツ提示オプティマイザプロジェクトの大部分であることができる。再生されるコンテンツの特性を識別するコンパイルされたデータを含む概念が、主要な目的であって、コンテンツ提示オプティマイザを他のハードウェア通信技術と区別する。マルチメディアパーソナルコンピュータは、コンテンツ提示オプティマイザ対応ＤＶＤプレーヤ、Ａ／Ｖ受信機、ＡＴＳＣ／ＤＴＶセットトップボックス及びゲーム機の機能を統合することが可能であるという利点を有する。コンテンツ提示オプティマイザ対応パーソナルコンピュータは、任意の形式のメディア上に含まれるデータを抽出して復号化し、かつ所望の提示を達成するために音声及びビデオの特定の特性を内部的に設定することが可能である。消費者は、コンテンツ提示オプティマイザ初期設定又は視聴者の個々の嗜好を代表することができるカスタム初期設定を選択するオプションを与えられる。
【００６４】
＜機能＞
コンテンツ提示オプティマイザ対応マルチメディアパーソナルコンピュータは、ＤＶＤ−ロム、ＡＴＳＣ／ＤＴＶ放送、ビデオオンデマンド、ストリーミングインターネットコンテンツ又はゲームメディア上の符号化されたコンテンツ提示オプティマイザデータを読み込む能力を必要とする。コンテンツがプレーヤに装入される時、対応パーソナルコンピュータは以下を検索する：
・ディスクのＤＶＤロムセクター
・放送データストリームヘッダ
・ストリーミングメディアデータヘッダ
・圧縮ストリームからの埋め込みコードの抽出
【００６５】
ディスクベースのメディアに対して、データは、［コンテンツ提示オプティマイザ．ｂｉｎファイルのような］ファイル内に識別されるＤＶＤディスクのロムセクター内に読み込まれる。データは、次いでパーソナルコンピュータソフト／ハードアプリケーションと整合した方式で（ｉｎ  ａ  ｍａｎｏｒ）復号化される。データは、次いでプログラム材料の提示のためにあるデータを保持するように設計されているレジスタ内にロードされる。シーケンスは、次いでパーソナルコンピュータモニタに対するＶＧＡ出力の垂直間隔［同期］、又は外部ディスプレイデバイスへの接続のためのコンポジット出力及びコンポーネントビデオ出力のＹチャンネル内にその時出現するビットを生成するためにレジスタから情報を転送し始める。デジタル通信の形式がホームシアタ内に使われる場合、設定データはコンテンツ初期化中に送信されるか、又は事実上ダイナミックであることができ、追加機能をこの概念に加える。設定データ出力は、映画の再生中に垂直同期ラインを介して送信されるマクロビジョン又はその他の信号を妨げることにならない。
【００６６】
コンテンツに特有なデータを受信する際に、対応パーソナルコンピュータは以下の内部設定調整を実行する；
・マクロビジョンは、電源投入及びディスクロードサイクルの際に動作を停止される（ディスクベースの材料に該当する場合）
・オプションとして利用できることが可能なビデオ出力制御は、コンテンツ提示オプティマイザによって提供される推奨された設定のとおり、コンテンツ提示オプティマイザ指定の数値にリセットされなければならない。これらの制御は以下を含むが、これに限定されない；
ｏ明るさ
ｏコントラスト
ｏ色
ｏ色合い
ｏシャープネス
ｏセットアップ
ｏ色温度
【００６７】
一般的な５．１データストリーミングがドルビーデジタル、又はＤＴＳフォーマットに基づくのを可能にするために、音声ＤＳＰオプションは、動作を停止される。Ａ／Ｖ受信機又は内部ＰＣ復号化に依存して、データ伝送によってセットされるモードに基づく適切なデジタル復号化を実行する（Ａ／Ｖ受信機セクション内に概説されたように）。
【００６８】
製造業者が望むように製品内に機能を導入する製品能力を制限することは、コンテンツ提示オプティマイザ認可プログラムの意図でないが、しかし、この機能が、典型的な映画表題又はプログラム材料でマスターを作られるように、技術を変更することができる周知の信号源の通常の予想出力からの逸脱を提供する場合には、コンテンツ提示オプティマイザ認可プログラムは、コンテンツ提示オプティマイザモードが選択され、及び、コンテンツ提示オプティマイザデータによって指示される時、デバイスが、予想レベルの輝度及びクロミナンスを描画するようにプログラムされることを要求する。
【００６９】
制御されて較正された環境での業界期待の厳守に加えて、コンテンツ提示オプティマイザによって、消費者が映像及び音声オプションのコンテンツ提示オプティマイザ推奨基準値とは異なるかもしれないカスタム値をセットすることができるようにするユーザー嗜好設定を、製造業者が導入することができる。これが、オプションを容易にするために必要であることになる。これが、家庭内に公認の及び非公認のコンポーネントの組合せを容易にするために必要であることになる。いつでも、消費者はこのインターフェースを可能にするためにユーザー設定を変えることができるが、しかし、コンテンツ提示オプティマイザ基準設定は、なんらかの基準が消費者選択で得られるようにロックアウトされることになっている。ユーザーメモリレジスタの最小数は、製造業者がコンテンツ提示オプティマイザ設定を工場設定にすることを選択する場合、コンテンツ提示オプティマイザ基準レジスタに加えて１［１］の、合計２［２］メモリレジスタである。製品工場設定が推奨されたコンテンツ提示オプティマイザ設定と別の場合、メモリレジスタの最小数は３［３］である。
【００７０】
＜ビデオディスプレイデバイス＞
映像コンテンツの適切な表示は、コンテンツ作者意図を伝え、家庭内に示される芸術の感動を提示するのに重要である。これが映画及びいくつかのテレビ番組にとってより重要であるとはいえ、大部分の消費者は、誤調整された映像よりも正しく調整された映像を評価する。今日家庭内に存在する共通の問題は、大部分は以下のような基本的な制御である；
ｏ明るさ
ｏコントラスト
ｏ色
ｏ色合い
ｏシャープネス
ｏセットアップ
ｏ色温度
ｏアスペクト比
ｏノイズ低減
ｏ貧弱な圧縮の影響を減少させる圧縮フィルタ
ｏ全てでなく、しかし、特定のコンテンツを目的とされるイメージ処理
【００７１】
製品が、消費者が視聴経験を高めるために選択するオプションを与える特別な機能を彼らの製品内に設計するとはいえ、消費者は最高の結果をもたらすこのオプションを働かせないかもしれない。これは、製品内に十分には認められない価値である。コンテンツ提示オプティマイザは、提示されるメディアのソースを識別することによって、モードが自動的に正しいアプリケーションに対して正しいモードを導入するようにセットされることを可能にする。製品の中に設計される機能は起動することができるが、しかし、消費者又は設置者は、コンテンツがどのように表示されるかについて、特定の個別的な嗜好を代表することができる設定をカスタム選択するオプションを持つ。
【００７２】
ディスプレイ技術は、今日、ＣＲＴ技術、ＬＣＤ、ＤＬＰ、ＤＩＬＡ及びプラズマがそこに提供する自身の特定の恩恵より多くを伴う。各々はまた、イメージ処理によって補正されることができるさまざまな差異を提供する。コンテンツ提示オプティマイザ技術の一部は、技術が提供することができる限りオリジナルに近い、正確な映像提示を視聴者に提供するイメージ処理上のデータを提供する。
【００７３】
いくつかの設置は、同じデバイスに一体化される音声処理を備えたビデオディスプレイデバイスを見いだす。コンテンツ提示オプティマイザは、Ａ／Ｖ受信機のための音声モード選択を提供し、この同じデータが、設置されたモードをディスプレイデバイスに適切にセットし、該当する場合、音声設定を提供する。
【００７４】
＜データコマンド＞
本開示はまた、全てのＣＥ機が認識し、かつこれらのコマンドで作動するか、それらを他のデバイスに転送することが可能でなければならないコマンドコードの基本セットを含むことができる。たとえば、ＤＶＤプレーヤは「早送り」コマンドで作動することができるが、しかし、「５チャンネルへの同調」又は「音量アップ」コマンドを渡す。これらのコマンド及び制御ネットワークの物理層は、ＨＤＭＩ、ＤＶＩ、１３９４及びＲＳ−２３２又はさらに（同じブランドＣＥ機がこの同じ機能をサポートすることができるように）専用のインターフェースのような現在利用できる制御インターフェースを活用して、デバイスからデバイスに応じて異なることができる。
【００７５】
本開示に従うシステムは更に、同じブランドのＣＥ機がこの機構を使用して、同じブランドのデバイスが接続される時だけ実行可能な追加機能を提供することができるように、「私有データ経路」を規定する。
【００７６】
本開示に従う娯楽システムは、従って、任意の適合デバイスがネットワーク内のその他のデバイスに対する制御コマンドを起動することを可能にすることができる。結果は、これらのデバイスのどれか一つの任意のリモートコントローラが直ちに、少なくとも基本コマンドセットの範囲内で、全てのデバイスに対するＵＲＣになることである。
【００７７】
加えて、本開示の現在好ましい実施態様が、人間のユーザーが通常これらの制御装置の作動イニシエータであると想定するとはいえ、このシステムは同時に容易に、他の人間外のユーザー（例えばコンテンツ、サービス提供者ビリングマシン、その他）が、家庭用ＣＥ機のネットワーク内に存在しなければならないその対応デバイスを通してこれらのコマンドを起動することを可能にする。
【００７８】
この種のデバイスの一例は、ケーブルサービス提供者のセントラルオフィス（ヘッド側）に別々の安全な通信経路を有するケーブルデコーダボックス（セットトップボックス）である。本発明に適合するケーブルセットトップボックスは、ケーブルＳＴＢと顧客の他のＣＥ機の相互運用性の問題を解決するために顧客の自宅に修理係を送る代わりに、ケーブルサービスオペレータが彼らのセントラルオフィスからＣＥ機のネットワーク全体を今では遠隔で診断することを可能にする。
【００７９】
基本コマンドセットの正確な定義、及びデバイスが基本コマンドセットと「私有データ経路」とを区別できるようにする機構は、市販のデータ制御プロトコルのいずれかに基づくことができる。本発明の新規性は、ＣＥ製品及び制御設計の多様性の直接的な結果であるクロスプラットフォーム相互運用性問題を解決することへのこれらの方法論の適用にある。
【００８０】
＜データ構造＞
本開示に従うデータ構造の具体例は、図５−３５内に見いだされることができる。同期ビットは、データの完全性の確認を与えるためにデータ構造ストリームの全体にわたって位置することができる。製品設計によって有効にされる場合、データ構造は機器にダウンロードを提供するのに用いられることができる。これは、メディアがまた、時間とともにその機能を増すコンテンツ提示オプティマイザの更新されたバージョンを具備することを可能にする。
【００８１】
＜コンテンツタイプ＞
『コンテンツタイプ』要素は、コンテンツ提示オプティマイザ仕様内の重要な要素である。次に図５を参照して、コンテンツタイプフィールド１００が例示される。コンテンツタイプフィールド１００のコンテンツは提示されるコンテンツのタイプを簡略形式で示す。その目的は、自動化された初期設定／モードスイッチングを可能にすることである。
【００８２】
コンテンツタイプフィールド１００は、コンテンツの主要なカテゴリを示す。それはまた、コンテンツサブタイプフィールドのいくつかの可能な解釈の１つを意味する。図７−１０はサブタイプフィールドの可能なコンテンツを例示し、コンテンツタイプフィールド１００は使用するサブタイプテーブルを示す。
【００８３】
『テレビ番組』タイプは、通常のテレビ番組、テレビ視聴の大部分を構成する３０〜６０分プログラムを目的とされる。『ミニシリーズ』は、より長いプログラミングである。『映画』は、それが映画館公開又は直接ビデオ化を目的とされたかにかかわらず、完全映画製品である。
【００８４】
コンテンツタイプのサブタイプ：スポーツ
【００８５】
コンテンツタイプのサブタイプ：音楽及び生演奏
【００８６】
サブタイプフィールドは、演奏される音楽ジャンルを示す。
【００８７】
コンテンツタイプのサブタイプ：ビデオゲーム
【００８８】
コンテンツタイプのサブタイプ：スライドショー／コンピュータ
【００８９】
このコンテンツタイプは、コンテンツが主として、おそらく各静止画像間の遷移効果を伴う、一連の静止画像であることを示す。音声は、おそらく静止画像遷移に同期する口頭のナレーションを伴う背景音楽であると予想される。
【００９０】
このコンテンツタイプは、また、コンピュータコンテンツを示すのに用いられる。微細なディテールが重要であり、及び、イメージは比較的変化しないという点で、視覚的な特性は同様である。
【００９１】
コンテンツタイプのサブタイプ：その他
【００９２】
このサブタイプは、コンテンツタイプは知られているが、しかし、規定されるカテゴリ内に適合しない状況に対するどんな場合にも対応可能な値を提供する。このタイプは実際のところ値の範囲を代表し、及び、この仕様の後のバージョンは付加コンテンツタイプを規定するためにこの範囲からの値を使用することができる。このバージョンの仕様に導入されるデバイスは、これらの追加的なタイプに気づかず、及び、『その他』としてそれらをマークされるコンテンツを処理する。
【００９３】
＜ユニフォームリソースロケーター（ＵＲＬ）＞
ＵＲＬ要素の目的は、コンテンツが『クロスメディアリンク』を指定することを可能にすることであり、利用できるかもしれない他のコンテンツを参照することを可能にすることである。『混合されたメディア』及び複数の形式のメディアへのアクセスを備えた収束されたデバイスに向けた増加傾向があるので、これは、それらの間の遷移に対する手段を提供する。
【００９４】
＜ビデオ記述子＞
フレームアスペクト比は、フレームの全体的なアスペクト比それ自体を提供し、その幅と高さとの間の整数比として与えられる。標準値は、４：３又は１６：９であるだろう。
【００９５】
図１６及び１７内に例示されるようなフレームレート／ケイデンス要素は、提供されるコンテンツのビデオ部分のフレームレート及び／又はプルダウンケイデンスについての情報を提供することができる。
【００９６】
図１９及び２０に例示されるようなガンマ値要素は、ディスプレイデバイスによってコンテンツに適用されると予想されるガンマ値を示すことができる。
【００９７】
図２１及び２２に例示されるような色温度要素は、コンテンツのイメージ部分の意図された色温度を示すことができる。
【００９８】
次に図２３を参照して、ビデオ符号化タグが、表示される符号化方法及びビデオの概算のビットレートを記述することができる。
【００９９】
符号化方法フィールド１５０は、提示されるコンテンツを符号化するのに用いられる方法を示すのに用いられることができる。
【０１００】
ビットレートフィールド１６０及び１７０は、１２８ｋｂｐｓを単位にして、符号化されたビデオを運ぶために割り当てられるビットレートを示すのに用いられることができる。０の値は、この値がわかっていないことを示す。２５５の値は、３２メガビット／秒以上を示す。さもなければ、値『ｎ』は（ｎ＊１２８ｋｂｐｓ≦ビットレート＜（ｎ＋１）＊１２８ｋｂｐｓ）を示す。
【０１０１】
次に図２５、２６及び２７を参照して、ビデオ後処理要素は、作られる時、コンテンツの特性／属性に関する情報を提供することができ、再生チェーン内のデバイスが、それが有利であることができる処理を適用するべき時を決定することを可能にするために提供される。この要素は、作られたコンテンツのいくつかの属性／特性を示すために複数回生じることができる。
【０１０２】
ｅｎｂｌフィールド１８０のようなデータフィールドは、後処理オプションが、１である場合適用され、又はゼロである場合動作を停止されるべきことを示すのに用いられることができる。
【０１０３】
＜音声記述子＞
図２８、２９及び３０内に例示されるような音声符号化要素は、再生される音声コンテンツのさまざまな属性を記述することができる。
【０１０４】
符号化方法フィールド１９０は、図２９のテーブルに従って、コンテンツがどのように符号化されたかについて示す。
【０１０５】
マトリックス化フィールド２００は、マトリックス化方法を使用して複数のチャンネルをより少ない数の個別チャンネルに符号化するのに用いられる方法（もしあれば）を示す。
【０１０６】
次に図３１及び３２を参照して、製作プロセスの一部として、さまざまな音声要素が最終的なサウンドトラックを製作するためにレコーディングスタジオ、音声スイート又は防音スタジオでミキシングされる。各サウンドトラックは、その録音場所でスピーカの特定のレイアウトを使用してミキシングされる。このレイアウトは、再生用のスピーカレイアウトをどのようにマップするかについて決める際に、特にそれらが同じでない場合に、再生装置を補助する音声チャンネル割当て要素によって、記述される。
【０１０７】
この要素は、サウンドトラックがどのようにミキシングされたかについて記述する。それは、元の録音のスピーカレイアウトを特定の再生システムのスピーカレイアウトにマップする際に再生システムを補助する。
【０１０８】
『ミキシング設定』フィールドは、使用中又は検討中のどちらでも、スピーカ設定の全てをカバーすることができる。
【０１０９】
＜音声後処理＞
次に図３３、３４及び３５を参照して、コンテンツの音声部分が作られる時、製作プロセスが、特にいくつかの音声符号化方法に対して、含むのが通例である特定の処理を、含んでも含まなくてもよい。『音声後処理』要素は、処理がコンテンツの音声部分にすでに適用され、及び再生チェーンに二度目に適用されるべきでないかどうか示すのに用いられる。
【０１１０】
この要素は、複数の後処理オプションの状態を示すために複数回生じることができる。特定の後処理オプションが音声後処理要素内に生じないならば、その時、使用中の主要復号化方法に対するその処理のデフォルト／通例の状態が、あてはまるべきである。
【０１１１】
『後処理方法』フィールドは、図３４のテーブルからの値を含むべきである。
【０１１２】
ｅｎｂｌフィールド２３０のようなｅｎｂｌフィールドは、後処理オプションが、１である場合適用され、又はゼロである場合動作を停止されるべきことを示す。
【０１１３】
本発明において、メタデータファイルは既存の又はレガシーメディアを読み込むことによってソフトウェアを通して自動的に生成されることができ、従って、例えばその時、既存のＤＶＤディスクにプロセスを適用することが可能になる。しかし、既存のコンテンツからソフトウェア生成されたメタデータファイルは、既存のコンテンツメディア上に戻されないかもしれない。現在開示された技法の延長は、既存のメディアを参照して、デバイスがインターネットのような任意の適切なネットワークを通して適切なメタデータファイルを検索して、ダウンロードすることを可能にすることができるメタデータファイルのデータベースを形成することである。いくつかの層のデータベースが、２ステップデータ抽出方法を使用してこの開発範疇の下で生成されることができる。
【０１１４】
まず、メタデータをＤＶＤディスクのような既存のコンテンツメディアから抽出するプロセスは、カスタマイズされたソフトウェアを必要とする。ＤＶＤから集められるメタデータは、利用できる全てのデータを包含するべきで、現在開示された記述子に限られていない。全ての抽出されたデータポイントのインデックス可能なメタデータファイル（索引つきコマンドデータファイル）が、このステップの下で生成される。
【０１１５】
第２に、第２のソフトウエアプログラムが次いで抽出されたメタデータファイルを読み込んで、メタデータファイルの索引つきデータベース（索引つきコマンドデータファイルのデータベース）を生成する。この技法の新しいバージョンが生成されるので、第２のソフトウエアプログラムに対する変更は、新しいメタデータファイルデータベースをすばやく作成することができる。このステップは、必要に応じて繰り返されることができる。
【０１１６】
このツーステップ抽出方法は、ＤＶＤ及び他のパッケージ化されたメディアフォーマットに加えてコンテンツダウンロード及び他のファイルベースのメディア配布方式によく適している。インターネット接続を通してメタデータファイルを提供することは、家庭用娯楽機器システムと現在の技法との間の「接続する必要性」を確立する。
【０１１７】
今までで特許法の必要条件に従って本発明を記述してきたので、この技術の当業者は、彼らの特定の要件又は状況に合致させるために本発明の改変と変更態様をどのようになすべきかについて理解するであろう。この種の改変と変更態様は、特許請求の範囲に記載の本発明の範囲及び趣旨から逸脱することなく、なされることができる。
【図面の簡単な説明】
【０１１８】
【図１】本開示に従うコンテンツ提示オプティマイザシステムのブロック図
【図２】図１のコンテンツ提示システムの内部要素のブロック図
【図３】フィードバックを含むコンテンツ提示システムのブロック図
【図４】本開示に従うコンテンツ符号化システムのためのコンテンツ生成要素のブロック図
【図５】コンテンツタイプ及びコンテンツサブタイプフィールドを示すデータ構造のテーブル
【図６】可能なコンテンツタイプフィールド値を示すデータ構造のテーブル
【図７】可能なコンテンツサブタイプフィールド値を示すデータ構造のテーブル
【図８】代替コンテンツサブタイプフィールド値を示すデータ構造のテーブル
【図９】他の代替コンテンツサブタイプフィールド値を示すデータ構造のテーブル
【図１０】更に代替コンテンツサブタイプフィールド値を示すデータ構造のテーブル
【図１１】なお更に代替コンテンツサブタイプフィールド値を示すデータ構造のテーブル
【図１２】ＵＲＬフィールドを示すデータ構造のテーブル
【図１３】可能なＵＲＬフィールド値を示すデータ構造のテーブル
【図１４】フレームアスペクト比フィールドを示すデータ構造のテーブル
【図１５】可能なフレームアスペクト比フィールド値を示すデータ構造のテーブル
【図１６】フレームレート及びフレームケイデンスフィールドを示すデータ構造のテーブル
【図１７】可能なフレームレートフィールド値を示すデータ構造のテーブル
【図１８】可能なフレームケイデンスフィールド値を示すデータ構造のテーブル
【図１９】ガンマ値フィールドを示すデータ構造のテーブル
【図２０】可能なガンマフィールド値を示すデータ構造のテーブル
【図２１】色温度フィールドを示すデータ構造のテーブル
【図２２】可能な色温度フィールド値を示すデータ構造のテーブル
【図２３】ビデオ符号化データフィールドを示すデータ構造のテーブル
【図２４】可能なビデオ符号化フィールド値を示すデータ構造のテーブル
【図２５】ビデオ後処理データフィールドを示すデータ構造のテーブル
【図２６】可能なビデオ後処理フィールド値を示すデータ構造のテーブル
【図２７】ビデオ後処理オプション値を示すテーブル
【図２８】可能な音声符号化データフィールドを示すデータ構造のテーブル
【図２９】可能な音声符号化方法フィールド値を示すデータ構造のテーブル
【図３０】可能な音声マトリックス化フィールド値を示すデータ構造のテーブル
【図３１】可能な音声チャンネル割当てデータフィールドを示すデータ構造のテーブル
【図３２】可能な音声チャンネル割当てフィールド値を示すデータ構造のテーブル
【図３３】音声後処理データフィールドを示すデータ構造のテーブル
【図３４】可能な音声後処理フィールド値を示すデータ構造のテーブル
【図３５】音声後処理オプション値を示すテーブル
【図３６】代替データチャンネルを使用するコンテンツ提示システムのブロック図
【図３７】他の代替データチャンネルを使用するコンテンツ提示システムのブロック図
【符号の説明】
【０１１９】
８  ：コンテンツ提示システム
１０：ＤＶＤプレーヤ
１１：ＨＤＭＩチャンネル
１２：受信機
１４：Ａ／Ｖ受信機及びディスプレイデバイス（ディスプレイ要素）
１６：コンテンツ記憶媒体
１８：メタデータ取り出し要素
２２：Ｓ／ＰＤＩＦ
２４：他の使用チャンネル
３０：コンテンツ入力要素
６０：コンテンツ符号化システム
６６：デジタル中間ファイル
９０：コンテンツディスプレイシステム
【図１】
2009518881.tif 000003
【図２】
2009518881.tif 000004
【図３】
2009518881.tif 000005
【図４】
2009518881.tif 000006
【図５】
2009518881.tif 000007
【図６】
2009518881.tif 000008
【図７】
2009518881.tif 000009
【図８】
2009518881.tif 000010
【図９】
2009518881.tif 000011
【図１０】
2009518881.tif 000012
【図１１】
2009518881.tif 000013
【図１２】
2009518881.tif 000014
【図１３】
2009518881.tif 000015
【図１４】
2009518881.tif 000016
【図１５】
2009518881.tif 000017
【図１６】
2009518881.tif 000018
【図１７】
2009518881.tif 000019
【図１８】
2009518881.tif 000020
【図１９】
2009518881.tif 000021
【図２０】
2009518881.tif 000022
【図２１】
2009518881.tif 000023
【図２２】
2009518881.tif 000024
【図２３】
2009518881.tif 000025
【図２４】
2009518881.tif 000026
【図２５】
2009518881.tif 000027
【図２６】
2009518881.tif 000028
【図２７】
2009518881.tif 000029
【図２８】
2009518881.tif 000030
【図２９】
2009518881.tif 000031
【図３０】
2009518881.tif 000032
【図３１】
2009518881.tif 000033
【図３２】
2009518881.tif 000034
【図３３】
2009518881.tif 000035
【図３４】
2009518881.tif 000036
【図３５】
2009518881.tif 000037
【図３６】
2009518881.tif 000038
【図３７】
2009518881.tif 000039